(57)【要約】【課題】対物レンズと対物レンズが接着される部材との間で充分な接着力が確保され、レンズ脱落の恐れがなく、接着により発生する応力が光学面に及ぶことのない光ピックアップ装置及び対物レンズユニットを提供する。【解決手段】対物レンズは、光学面と該光学面の周りのフランジ部とを有し、フランジ部は、光源側に最も近い第１の面と、第１の面と段差を有して形成された第２の面と、光ディスクに対向する第３の面を有し、レンズ固定部は、第１の面と接する面と、第２の面と光軸方向で隙間を有して対向する面とを有し、対物レンズのフランジ部の第２の面と、レンズ固定部の第２の面と光軸方向で隙間を有して対向する面とを接着剤を介して接着固定した光ピックアップ装置とする。【選択図】図３
2008269733.tif 000002
【特許請求の範囲】
【請求項１】
波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置において、
前記対物レンズは、光学面と該光学面の周りのフランジ部とを有し、
前記フランジ部は、光源側に最も近い第１の面と、前記第１の面と段差を有して形成された第２の面と、光ディスクに対向する第３の面を有し、
前記レンズ固定部は、前記第１の面と接する面と、前記第２の面と光軸方向で隙間を有して対向する面とを有し、
前記対物レンズのフランジ部の前記第２の面と、前記レンズ固定部の前記第２の面と光軸方向で隙間を有して対向する面とを接着剤を介して接着固定したことを特徴とする光ピックアップ装置。
【請求項２】
前記レンズ固定部は、アクチュエータにより駆動されるボビンに形成されていることを特徴とする請求項１に記載の光ピックアップ装置。
【請求項３】
前記対物レンズと補助光学素子とを有する対物レンズユニットを有し、前記レンズ固定部は前記対物レンズと前記補助光学素子とを保持する枠体に形成され、前記対物レンズユニットはボビンに保持されていることを特徴とする請求項１に記載の光ピックアップ装置。
【請求項４】
前記対物レンズの、前記第２の面と前記第２の面に直交する面で形成される角部を面取りしたことを特徴とする請求項１〜３のいずれか１項に記載の光ピックアップ装置。
【請求項５】
前記第１の面は、前記対物レンズの前記光源側の光学面の頂点より前記光源側に突出していることを特徴とする請求項１〜４のいずれか１項に記載の光ピックアップ装置。
【請求項６】
前記対物レンズはプラスチックからなることを特徴とする請求項１〜５のいずれか１項に記載の光ピックアップ装置。
【請求項７】
前記光源から射出される光束の波長λは、
３８０ｎｍ＜λ＜４２０ｎｍ
であることを特徴とする請求項１〜６のいずれか１項に記載の光ピックアップ装置。
【請求項８】
前記対物レンズの光ディスク側の光学面の開口数が０．８以上であることを特徴とする請求項７に記載の光ピックアップ装置。
【請求項９】
波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置に用いられる対物レンズユニットにおいて、
前記対物レンズユニットは、対物レンズと、補助光学素子と、前記対物レンズと前記補助光学素子を保持する枠体とを有し、
前記対物レンズは、光学面と該光学面の周りのフランジ部とを有し、
前記光学面は、互いに対向する第１の光学面と第２の光学面を有し、前記第１の光学面のほうが前記第２の光学面より曲率が大きく、
前記フランジ部は、前記第１の光学面側の第１の面と、前記第１の面と段差を有して形成された第２の面と、前記第２の光学面側の第３の面を有し、
前記枠体は、前記第１の面と接する面と、前記第２の面と光軸方向で隙間を有して対向する面とを有し、
前記対物レンズのフランジ部の前記第２の面と、前記枠体の前記第２の面と光軸方向で隙間を有して対向する面とを接着剤を介して接着固定したことを特徴とする対物レンズユニット。
【請求項１０】
前記対物レンズの、前記第２の面と前記第２の面に直交する面で形成される角部を面取りしたことを特徴とする請求項９に記載の対物レンズユニット。
【請求項１１】
前記第１の面は、前記対物レンズの前記第１の光学面の頂点より突出していることを特徴とする請求項９又は１０に記載の対物レンズユニット。
【請求項１２】
前記対物レンズはプラスチックからなることを特徴とする請求項９〜１１のいずれか１項に記載の対物レンズユニット。
【請求項１３】
前記光源から射出される光束の波長λは、
３８０ｎｍ＜λ＜４２０ｎｍ
であることを特徴とする請求項９〜１２のいずれか１項に記載の対物レンズユニット。
【請求項１４】
前記対物レンズの光ディスク側の光学面の開口数が０．８以上であることを特徴とする請求項１３に記載の対物レンズユニット。
【発明の詳細な説明】
【技術分野】
【０００１】
本発明は、小型で組み付けに好適な形状の対物レンズを有する光ピックアップ装置及び対物レンズユニットに関するものである。
【背景技術】
【０００２】
従来より、光ディスクへの情報の記録や光ディスクに記録された情報の再生を行う光ピックアップ装置は、パーソナルコンピュータ等の機器に搭載され、広く普及している。これら光ピックアップ装置に用いられる対物レンズは、光学面とその周囲にフランジ部が形成されており、レンズを保持する部材にフランジ部が接着固定され用いられている。
【０００３】
このような、レンズを保持する部材と対物レンズの接着において、接着剤が光学面側に達しないようにすることを目的として、接着座を外側が低くなる傾斜面を形成したものが知られている（例えば、特許文献１参照）。
【特許文献１】特開２０００−２１５４８９号公報
【発明の開示】
【発明が解決しようとする課題】
【０００４】
これら光ピックアップ装置の可動部である対物レンズ部は、フォーカスやトラッキングのための駆動時の応答性を良好にするため、より軽量化、小型化が要望されている。このような要望に対して、光学面は必要部分であるため、フランジ部の径や厚みを削減することで対応した場合、接着剤の塗布可能領域が狭くなり、レンズを固定するための充分な接着力が不足し、携帯可能な機器では、移動時の衝撃等によりレンズが脱落してしまうという問題となる。
【０００５】
上記特許文献１に記載の光ピックアップ装置においても、接着剤が外側に流れるため、接着面積が大きくとれず、対物レンズとの接着力を確保するのが困難である。
【０００６】
また、近年普及しつつある０．８以上の高開口数を満たす対物レンズを要する光ピックアップ装置の場合、より高い光学面精度が要求されるが、ボビン等への組み込み接着時に、接着剤の固化による応力が発生し光学面に及び、収差を悪化させるという問題が発生する。
【０００７】
本発明は上記問題に鑑み、対物レンズと対物レンズが接着される部材との間で充分な接着力が確保され、レンズ脱落の恐れがなく、接着により発生する応力が光学面に及ぶことのない光ピックアップ装置及び対物レンズユニットを提供することを目的とするものである。
【課題を解決するための手段】
【０００８】
上記の目的は、下記に記載する発明により達成される。
【０００９】
１．波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置において、前記対物レンズは、光学面と該光学面の周りのフランジ部とを有し、前記フランジ部は、光源側に最も近い第１の面と、前記第１の面と段差を有して形成された第２の面と、光ディスクに対向する第３の面を有し、前記レンズ固定部は、前記第１の面と接する面と、前記第２の面と光軸方向で隙間を有して対向する面とを有し、前記対物レンズのフランジ部の前記第２の面と、前記レンズ固定部の前記第２の面と光軸方向で隙間を有して対向する面とを接着剤を介して接着固定したことを特徴とする光ピックアップ装置。
【００１０】
２．前記レンズ固定部は、アクチュエータにより駆動されるボビンに形成されていることを特徴とする１に記載の光ピックアップ装置。
【００１１】
３．前記対物レンズと補助光学素子とを有する対物レンズユニットを有し、前記レンズ固定部は前記対物レンズと前記補助光学素子とを保持する枠体に形成され、前記対物レンズユニットはボビンに保持されていることを特徴とする１に記載の光ピックアップ装置。
【００１２】
４．前記対物レンズの、前記第２の面と前記第２の面に直交する面で形成される角部を面取りしたことを特徴とする１〜３のいずれかに記載の光ピックアップ装置。
【００１３】
５．前記第１の面は、前記対物レンズの前記光源側の光学面の頂点より前記光源側に突出していることを特徴とする１〜４のいずれかに記載の光ピックアップ装置。
【００１４】
６．前記対物レンズはプラスチックからなることを特徴とする１〜５のいずれかに記載の光ピックアップ装置。
【００１５】
７．前記光源から射出される光束の波長λは、
３８０ｎｍ＜λ＜４２０ｎｍ
であることを特徴とする１〜６のいずれかに記載の光ピックアップ装置。
【００１６】
８．前記対物レンズの光ディスク側の光学面の開口数が０．８以上であることを特徴とする７に記載の光ピックアップ装置。
【００１７】
９．波長λの光束を射出する光源と、前記光束を光ディスクの情報記録面上に集光する対物レンズと、該対物レンズを固定するレンズ固定部と、前記光ディスクの情報記録面上で反射した光を受光する受光素子とを有し、前記光ディスクへの情報の記録及び前記光ディスクに記録された情報の再生のうち少なくともいずれか一方を行う光ピックアップ装置に用いられる対物レンズユニットにおいて、前記対物レンズユニットは、対物レンズと、補助光学素子と、前記対物レンズと前記補助光学素子を保持する枠体とを有し、前記対物レンズは、光学面と該光学面の周りのフランジ部とを有し、前記光学面は、互いに対向する第１の光学面と第２の光学面を有し、前記第１の光学面のほうが前記第２の光学面より曲率が大きく、前記フランジ部は、前記第１の光学面側の第１の面と、前記第１の面と段差を有して形成された第２の面と、前記第２の光学面側の第３の面を有し、前記枠体は、前記第１の面と接する面と、前記第２の面と光軸方向で隙間を有して対向する面とを有し、前記対物レンズのフランジ部の前記第２の面と、前記枠体の前記第２の面と光軸方向で隙間を有して対向する面とを接着剤を介して接着固定したことを特徴とする対物レンズユニット。
【００１８】
１０．前記対物レンズの、前記第２の面と前記第２の面に直交する面で形成される角部を面取りしたことを特徴とする９に記載の対物レンズユニット。
【００１９】
１１．前記第１の面は、前記対物レンズの前記第１の光学面の頂点より突出していることを特徴とする９又は１０に記載の対物レンズユニット。
【００２０】
１２．前記対物レンズはプラスチックからなることを特徴とする９〜１１のいずれかに記載の対物レンズユニット。
【００２１】
１３．前記光源から射出される光束の波長λは、
３８０ｎｍ＜λ＜４２０ｎｍ
であることを特徴とする９〜１２のいずれかに記載の対物レンズユニット。
【００２２】
１４．前記対物レンズの光ディスク側の光学面の開口数が０．８以上であることを特徴とする１３に記載の対物レンズユニット。
【発明の効果】
【００２３】
本発明によれば、対物レンズと対物レンズが接着される部材との間で充分な接着力が確保され、レンズ脱落の恐れがなく、接着により発生する応力が光学面に及ぶことのない光ピックアップ装置及び対物レンズユニットを提供することが可能となる。
【発明を実施するための最良の形態】
【００２４】
以下、実施の形態により本発明を詳しく説明するが、本発明はこれに限定されるものではない。
【００２５】
図１は、本実施の形態に係る光ピックアップ装置１００の一例を示す斜視図である。同図には、ワイヤーにより支持されたボビンに、対物レンズを組み付けた例が示されている。
【００２６】
同図に示すように、光ピックアップ装置１００は、光学系ユニット３０、反射部材４０、対物レンズ１が固定されたボビン２０で構成されている。なお、不図示であるが光ディスクは対物レンズ１の上方に位置している。
【００２７】
光学系ユニット３０は、対物レンズ１にレーザ光を出射するレーザ光源と光ディスクから戻ってきた光を受光する受光部と、これらの光路を構成する光学部材で構成されている。反射部材４０は、光学系ユニット３０から出射された光束を対物レンズ１に入射させると共に、該光束の光ディスクからの反射光を光学系ユニット３０に導くものである。
【００２８】
ボビン２０は支持部材２７から延びる４本の可撓性のワイヤー２６により支持され、ワイヤー２６をサスペンションとして光軸Ｏ方向（フォーカシング方向）及び光軸Ｏに直交する方向（トラッキング方向）の所定範囲の移動が可能となっている。また、コマ収差の補正のために光軸に対し傾けて（チルト）使用する場合もある。
【００２９】
また、不図示であるが、ボビン２０には、アクチュエータとして、フォーカス駆動用コイル、トラッキング駆動用コイル、マグネット、外ヨーク、内ヨークによる磁気回路が構成されている。これらフォーカス駆動用コイル、トラッキング駆動用コイルに給電することにより、ボビン２０を対物レンズ１の光軸方向（フォーカシング方向）、光軸直交方向（トラッキング方向）及びチルトする方向に揺動可能となっている。また、これらのコイルには、ワイヤー２６を介して電源が供給されるようになっている。
【００３０】
このように、対物レンズ１をフォーカシング方向、トラッキング方向等への揺動を容易としつつ、慣性モーメントを減少させて応答性を向上させるため、対物レンズ１はプラスチックにより形成されていることが好ましい。
【００３１】
更に、不図示であるが、光学系ユニット３０、反射部材４０、ボビン２０を一体的に光ディスクの半径方向に移動させる移動機構が設けられている。
【００３２】
図２は、本実施の形態に係る光ピックアップ装置１００の構成を概略的に示す図である。以下、光ディスクに記録された情報の再生を行う場合を例にとり説明する。
【００３３】
同図に示す光ピックアップ装置１００は、光学系ユニット３０内に所定の波長の光束を射出する半導体レーザ３１を有している。なお、射出する波長としては、例えば、使用する光ディスクがＣＤであれば７７０〜８００ｎｍ（例えば、７８５ｎｍ）、ＤＶＤであれば６４０〜６７０ｎｍ（例えば、６５５ｎｍ）、ＨＤ  ＤＶＤ或いはＢＤであれば３９０〜４２０ｎｍ（例えば、４０５ｎｍ）である。
【００３４】
半導体レーザ３１から射出された光束は、偏光ビームスプリッタ３２を通過し、コリメータレンズ３３で平行光束とされた後、１／４波長板３４で円偏光状態とされる。この平行光束は絞りＳによって絞られ、対物レンズ１により光ディスク６１の保護層である透明基板６１ａを介して情報記録面６１ｂに集光され、光スポットとされる。
【００３５】
情報記録面６１ｂで記録されたピットにより変調されて反射した光束は、再び対物レンズ１、絞りＳを通過する。次いで、１／４波長板３４により直線偏光状態とされ、コリメータレンズ３３を透過して、偏光ビームスプリッタ３２に入射し、ここで反射される。反射された光束は、シリンドリカルレンズ３５、３６により非点収差が与えられ、光検出器３７上へ入射し、その出力信号を用いて、光ディスク６１に記録された情報の読み取り信号を得る。
【００３６】
また、光検出器３７上でのスポットの形状変化、位置変化による光量変化を検出して、合焦（フォーカス）検出やトラック検出を行う。この検出に基づいて不図示のアクチュエータにより半導体レーザ３１からの光束を光ディスク６１の情報記録面６１ｂ上に結像するように対物レンズ１を光軸方向に移動させるとともに、半導体レーザ３１からの光束を所定のトラックに結像するように対物レンズ１を光軸に垂直な方向に移動させるようになっている。
【００３７】
なお、上記では一種の光ディスクに対応した光ピックアップ装置の例で説明したが、複数種のレーザ光源を備え、複数種の光ディスクに対応可能とした光ピックアップ装置であってもよい。また、その場合に複数種の光ディスクに対して共用できる対物レンズを用いることが光ピックアップ装置の小型化や低コスト化の上でも好ましい。
【００３８】
図３は、本実施の形態に係る光ピックアップ装置に用いられる対物レンズ１の一例を示す図である。同図（ａ）は対物レンズ１を光ディスク側から見た平面図、同図（ｂ）は側面図、同図（ｃ）は対物レンズ１をボビン２０に固定したときの断面図を示している。
【００３９】
同図（ａ）、（ｂ）に示すように、本実施の形態に係る対物レンズ１は、光源側に向いた曲率の大きい光学面１ａ（第１の光学面）と、光ディスク側に向いた曲率の小さい光学面１ｂ（第２の光学面）を有している。また、光学面１ａ、１ｂの周りにはフランジ部１ｆが形成されている。
【００４０】
同図（ｂ）に示すように、フランジ部１ｆは、光源側に最も近い第１の面１ｆ1と、第１の面と段差を有して形成された第２の面１ｆ2と、光ディスクに対向する第３の面１ｆ３を有して形成されている。第１の面１ｆ1と第２の面１ｆ2は、第１の光学面１ａ側であり、第３の面１ｆ3は、第２の光学面１ｂ側である、ともいえる。また、第１の面１ｆ1、第２の面１ｆ2及び第３の面１ｆ3は、全て対物レンズの光軸に対して略垂直に形成されていることが好ましい。従って、第１の面１ｆ1、第２の面１ｆ2及び第３の面１ｆ3は互いに略平行となる様に形成されていることが好ましいが、そのうちの一つの面が若干斜めになっていてもよい。
【００４１】
以上のように形成された対物レンズ１は、同図（ｃ）に示すように、ボビン２０に接着固定される。
【００４２】
ボビン２０には、フランジ部１ｆの第１の面１ｆ1と当接して光軸Ｏ方向の位置決めを行う面２０ｆと、第２の面１ｆ2と光軸Ｏ方向で隙間ｄを有して対向する面２０ｇが形成されている。即ち、ボビンの段差の光軸方向の長さの方が、レンズのフランジ部の段差（第１の面１ｆ1と第２の面１ｆ2の間の段差）の光軸方向の長さよりも短くなっている。対物レンズ１とボビン２０は、フランジ部１ｆの第２の面１ｆ2と、第２の面１ｆ2と隙間ｄを有して対向する面２０ｇとが、接着剤Ｂにより接着固定される。なお、第２の面１ｆ2に垂直な面、この場合、第２の面１ｆ2と、第３の面１ｆ3で挟まれた外周面にも接着剤Ｂを塗布してもよい。
【００４３】
このように、フランジ部１ｆに、光源側に最も近い第１の面１ｆ1と、第１の面と段差を有して形成された第２の面１ｆ2とを形成し、ボビン２０に第１の面１ｆ1と接する面２０ｆと、第２の面１ｆ2と光軸方向で隙間ｄを有して対向する面２０ｇとを形成し、隙間ｄに接着剤Ｂを流し込み接着することで、接着面積を充分に確保でき、対物レンズ１とレンズ固定部であるボビン２０との間で充分な接着力を確保することができる。
【００４４】
図４は、本実施の形態に係る光ピックアップ装置に用いられる対物レンズ１と補助光学素子２とを有する対物レンズユニット１０を示す図である。同図（ａ）は対物レンズ１を光ディスク側から見た平面図、同図（ｂ）は側面図、同図（ｃ）は対物レンズ１及び補助光学素子２を枠体１１に固定したときの断面図を示している。
【００４５】
同図（ａ）、（ｂ）に示す対物レンズ１は、図３に示したものと同様である。
【００４６】
同図（ｃ）に示す枠体１１には、対物レンズ１のフランジ部１ｆの第１の面１ｆ1と当接して光軸Ｏ方向の位置決めを行う面１１ｆと、第２の面１ｆ2と光軸Ｏ方向で隙間ｄを有して対向する面１１ｇが形成されている。対物レンズ１と枠体１１は、フランジ部１ｆの第２の面１ｆ2と、隙間ｄを有して対向する面１１ｇとが接着剤Ｂにより接着固定される。なお、第２の面１ｆ2と、第３の面１ｆ3で挟まれた外周面にも接着剤Ｂを塗布してもよい。なお、補助光学素子２は、例えば、鋸歯状の回折素子や階段状の位相差付与構造等の形成された光学素子である。
【００４７】
このように、対物レンズ１を直接ボビン２０に接着するのではなく、他の光学素子を含む対物レンズユニット１０とする場合でも、同様に、対物レンズ１とレンズ固定部である枠体１１との間で接着面積を充分に確保でき、対物レンズ１とレンズ固定部である枠体１１との間で充分な接着力を確保することができる。
【００４８】
また、このようにして形成された対物レンズユニット１０の枠体１１はボビン２０に接着固定される。その際には、枠体１１とボビン２０との間で同様の構成で接着固定されることが好ましい。
【００４９】
即ち、枠体１１に、光源側に最も近い第１の面と、第１の面と段差を有して形成された第２の面とを有するフランジ部を形成し、ボビン２０に、第１の面と当接して光軸Ｏ方向の位置決めがなされる面と、第２の面と光軸Ｏ方向で隙間を有して対向する面を形成し、フランジ部の第２の面と、隙間ｄを有して対向する面とを接着剤により接着固定することが好ましいということである。
【００５０】
図５は、本実施の形態に係る光ピックアップ装置に用いられる対物レンズ１の他の例を示す図である。同図（ａ）は対物レンズ１を光ディスク側から見た平面図、同図（ｂ）は側面図、同図（ｃ）は対物レンズ１をボビン２０に固定したときの、接着部の拡大断面図を示している。同図に示す対物レンズ１は図３に示した対物レンズ１と異なる部分についてのみ説明する。
【００５１】
同図（ｂ）に示すように、対物レンズ１のフランジ部１ｆの、第２の面１ｆ2に垂直な面、この場合、第２の面１ｆ2、第３の面１ｆ3に挟まれた外周面と第２の面１ｆ2で形成される角部に、面取りした面１ｆCを形成したものである。
【００５２】
このように、面取りした面１ｆCを形成することで、同図（ｃ）に示すように、より接着面積を増加させ、より接着力を強化することができる。
【００５３】
図６は、本実施の形態に係る光ピックアップ装置に用いられる対物レンズ１の他の例を示す図である。同図（ａ）は対物レンズ１を光ディスク側から見た平面図、同図（ｂ）は同図（ａ）に示すＦ−Ｆ線で切断した断面図、同図（ｃ）は対物レンズ１をボビン２０に固定したときの断面図を示している。
【００５４】
同図に示す対物レンズ１は、フランジ部１ｆの、光源側に最も近い第１の面１ｆ1が、対物レンズ１の光源側の光学面１ａの頂点より図示ｔだけ光源側に突出して形成されている。
【００５５】
以上のように形成された対物レンズ１は、同図（ｃ）に示すように、ボビン２０に接着固定される。
【００５６】
ボビン２０には、フランジ部１ｆの第１の面１ｆ1と当接して光軸Ｏ方向の位置決めを行う面２０ｆと、第２の面１ｆ2と光軸Ｏ方向で隙間ｄを有して対向する面２０ｇが形成されている。対物レンズ１とボビン２０は、フランジ部１ｆの第２の面１ｆ2と、隙間ｄを有して対向する面２９ｇとが接着剤Ｂにより接着固定される。なお、第２の面１ｆ2と、第３の面１ｆ3で挟まれた外周面にも接着剤Ｂを塗布してもよい。
【００５７】
このように、フランジ部１ｆに、光源側に最も近い第１の面１ｆ1を対物レンズ１の光源側の光学面１ａの頂点より光源側に突出して形成し、ボビン２０に第１の面１ｆ1と接する面２０ｆと、第２の面１ｆ2と光軸方向で隙間ｄを有して対向する面２０ｇとを形成し、隙間ｄに接着剤Ｂを流し込み接着することでも、同様に対物レンズ１とレンズ固定部であるボビン２０との間で充分な接着力を確保することができる。また、例え接着剤Ｂがボビン２０の内側に侵入しても光学面１ａに付着することを防止できる。
【００５８】
更に、図３〜図６に示す対物レンズにおいては、接着剤の固化による応力が発生しても、第２の面１ｆ2と第３の面１ｆ3の間の厚みは、第１の面１ｆ1と第３の面１ｆ3の間の厚みに比べて薄く形成されているために緩和され、応力が光学面に及ぶことを抑制することができる。このように、接着剤の固化に伴い発生する応力を抑制することにより、対物レンズの収差劣化を抑えることができ、特に、使用波長が３８０ｎｍ〜４２０ｎｍで開口数が０．８以上の対物レンズを要する高密度光ディスクの記録及び再生の少なくともいずれか一方を行う光ピックアップ装置に好適なものとなる。
【００５９】
なお、図５、図６に示す例においては、対物レンズ１をボビン２０に接着固定する例で説明したが、図４に示すような枠体１１に接着固定し対物レンズユニット１０とする場合にも適用可能であるのはいうまでもない。
【図面の簡単な説明】
【００６０】
【図１】本実施の形態に係る光ピックアップ装置の一例を示す斜視図である。
【図２】本実施の形態に係る光ピックアップ装置の構成を概略的に示す図である。
【図３】本実施の形態に係る光ピックアップ装置に用いられる対物レンズの一例を示す図である。
【図４】本実施の形態に係る光ピックアップ装置に用いられる対物レンズと補助光学素子とを有する対物レンズユニットを示す図である。
【図５】本実施の形態に係る光ピックアップ装置に用いられる対物レンズの他の例を示す図である。
【図６】本実施の形態に係る光ピックアップ装置に用いられる対物レンズの他の例を示す図である。
【符号の説明】
【００６１】
１  対物レンズ
２  補助光学素子
１０  対物レンズユニット
１１  枠体
２０  ボビン
２６  ワイヤ
３０  光学系ユニット
４０  反射部材
６１  光ディスク
１００  光ピックアップ装置
Ｂ  接着剤
Ｏ  光軸
【図１】
2008269733.tif 000003
【図２】
2008269733.tif 000004
【図３】
2008269733.tif 000005
【図４】
2008269733.tif 000006
【図５】
2008269733.tif 000007
【図６】
2008269733.tif 000008